(57)【要約】【課題】消費電力を低減することができる位置検出回路及び撮像装置を提供する。【解決手段】互いに離間して設けられた磁界変化検出素子３，４は、撮像素子１に取り付けられた磁界発生体２が形成する磁界の強さを検出する。位置検出部５は、磁界変化検出素子３，４からの出力に基づき、磁界発生体２の位置を検出する。スタンバイ部８は、レリーズスイッチ１４の１段目が設定されるまでは磁界変化検出素子３，４及び位置検出部５のうち少なくとも一方の機能を停止させる。【選択図】図１
2008268481.tif 000002
【特許請求の範囲】
【請求項１】
被写体像を結像する光学系と、結像された前記被写体像を光電変換する撮像素子と、撮像に係る指示を入力するための２段階の状態を設定可能なレリーズスイッチとを備えた撮像装置に設けられる位置検出回路であって、
前記光学系及び前記撮像素子のいずれか一方に取り付けられた磁界発生体が形成する磁界の強さを検出する、互いに離間して設けられた複数の磁界変化検出素子と、
前記複数の磁界変化検出素子からの出力に基づき、前記磁界発生体の位置を検出する位置検出部と、
前記レリーズスイッチの１段目が設定されるまでは前記複数の磁界変化検出素子及び前記位置検出部のうち少なくとも一方の機能を停止させるスタンバイ部と、
を有する位置検出回路。
【請求項２】
前記スタンバイ部は、前記レリーズスイッチの２段目が設定されたときに前記複数の磁界変化検出素子及び前記位置検出部の機能を起動することを特徴とする請求項１に記載の位置検出回路。
【請求項３】
被写体像を結像する光学系と、結像された前記被写体像を光電変換する撮像素子と、撮像に係る指示を入力するための２段階の状態を設定可能なレリーズスイッチとを備えた撮像装置において、
前記光学系及び前記撮像素子のいずれか一方に取り付けられた磁界発生体が形成する磁界の強さを検出する、互いに離間して設けられた複数の磁界変化検出素子と、
前記複数の磁界変化検出素子からの出力に基づき、前記磁界発生体の位置を検出する位置検出部と、
前記レリーズスイッチの１段目が設定されるまでは前記複数の磁界変化検出素子及び前記位置検出部のうち少なくとも一方の機能を停止させるスタンバイ部と、
筐体のブレを検出するブレ検出部と、
検出されたブレ量に応じて、前記光学系及び前記撮像素子のいずれか一方を前記光学系の光軸に対して直交する方向に移動させる駆動部と、
を有する撮像装置。
【請求項４】
前記スタンバイ部は、前記レリーズスイッチの２段目が設定されたときに前記複数の磁界変化検出素子及び前記位置検出部の機能を起動することを特徴とする請求項３に記載の撮像装置。
【請求項５】
前記位置検出部は、前記複数の磁界変化検出素子からの出力に基づき、前記磁界発生体の位置を示す位置信号を生成する位置信号生成回路と、前記磁界発生体の温度特性や個体差によらないように前記複数の磁界変化検出素子の駆動を制御する駆動制御回路とを有し、
前記スタンバイ部は、前記位置信号生成回路と前記駆動制御回路とを異なるタイミングで起動させる
ことを特徴とする請求項３又は請求項４に記載の撮像装置。
【請求項６】
前記スタンバイ部は、前記位置検出部に印加する起動制御信号の大きさを徐々に変化させることを特徴とする請求項３〜請求項５のいずれかに記載の撮像装置。
【請求項７】
前記駆動制御回路は、前記レリーズスイッチの２段目が設定されたときのみ、前記複数の磁界変化検出素子の機能を起動することを特徴とする請求項３〜請求項６のいずれかに記載の撮像装置。
【請求項８】
前記ブレ検出部と前記位置検出部は、異なるサブストレート上に形成されていることを特徴とする請求項３〜請求項７のいずれかに記載の撮像装置。
【発明の詳細な説明】
【技術分野】
【０００１】
本発明は、光学系及び撮像素子のいずれか一方と同一の部材に取り付けられた磁界発生体の位置を検出する位置検出回路及び撮像装置に関する。
【背景技術】
【０００２】
撮像装置の撮影中に生じた手ブレ量に応じて、光学系又は撮像素子を光学系の光軸に対して直交する方向にシフトさせることにより、手ブレ等によって生じる撮像素子の結像面上における像ブレを抑制するブレ補正機構が知られている。そして、光学系又は撮像素子をシフトさせた位置を検出するため、ブレ補正機構には位置検出装置が用いられる。
【０００３】
特許文献１には、磁界発生体と磁界変化検出素子と位置検出部とを有する位置検出装置が記載されている。この位置検出装置では、複数の磁界変化検出素子からの出力電圧の和が一定となるように、各磁界変化検出素子に供給する電流を制御することにより、磁界発生体の温度特性や個体差を補正しつつ、各磁界変化検出素子からの出力電圧の差を、磁界発生体と磁界変化検出素子の相対位置を示す信号として取り出している。
【特許文献１】特開２００５−３３１３９９号公報
【発明の開示】
【発明が解決しようとする課題】
【０００４】
しかしながら、上記の位置検出装置は、撮像装置のブレ補正機能が有効である期間中、常時起動している。そのため、撮像装置がブレ補正を行わない期間（撮像装置の起動直後からレリーズスイッチが操作されるまでの期間）も位置検出装置は回路電流を消費している。撮像装置が起動している期間のうち、位置検出装置がブレ補正を行わない期間は圧倒的に多く、撮像装置全体の消費電力に占める、位置検出装置がブレ補正を行わない期間に消費する電力の割合も大きい。
【０００５】
そこで、本発明は、上述した課題に鑑みてなされたものであって、消費電力を低減することができる位置検出回路及び撮像装置を提供することを目的とする。
【課題を解決するための手段】
【０００６】
本発明は、上記の課題を解決するためになされたもので、被写体像を結像する光学系と、結像された前記被写体像を光電変換する撮像素子と、撮像に係る指示を入力するための２段階の状態を設定可能なレリーズスイッチとを備えた撮像装置に設けられる位置検出回路であって、前記光学系及び前記撮像素子のいずれか一方に取り付けられた磁界発生体が形成する磁界の強さを検出する、互いに離間して設けられた複数の磁界変化検出素子と、前記複数の磁界変化検出素子からの出力に基づき、前記磁界発生体の位置を検出する位置検出部と、前記レリーズスイッチの１段目が設定されるまでは前記複数の磁界変化検出素子及び前記位置検出部のうち少なくとも一方の機能を停止させるスタンバイ部とを有する位置検出回路である。
【０００７】
また、本発明の位置検出回路において、前記スタンバイ部は、前記レリーズスイッチの２段目が設定されたときに前記複数の磁界変化検出素子及び前記位置検出部の機能を起動することを特徴とする。
【０００８】
また、本発明は、被写体像を結像する光学系と、結像された前記被写体像を光電変換する撮像素子と、撮像に係る指示を入力するための２段階の状態を設定可能なレリーズスイッチとを備えた撮像装置において、前記光学系及び前記撮像素子のいずれか一方に取り付けられた磁界発生体が形成する磁界の強さを検出する、互いに離間して設けられた複数の磁界変化検出素子と、前記複数の磁界変化検出素子からの出力に基づき、前記磁界発生体の位置を検出する位置検出部と、前記レリーズスイッチの１段目が設定されるまでは前記複数の磁界変化検出素子及び前記位置検出部のうち少なくとも一方の機能を停止させるスタンバイ部と、筐体のブレを検出するブレ検出部と、検出されたブレ量に応じて、前記光学系及び前記撮像素子のいずれか一方を前記光学系の光軸に対して直交する方向に移動させる駆動部とを有する撮像装置である。
【０００９】
また、本発明の撮像装置において、前記スタンバイ部は、前記レリーズスイッチの２段目が設定されたときに前記複数の磁界変化検出素子及び前記位置検出部の機能を起動することを特徴とする。
【００１０】
また、本発明の撮像装置において、前記位置検出部は、前記複数の磁界変化検出素子からの出力に基づき、前記磁界発生体の位置を示す位置信号を生成する位置信号生成回路と、前記磁界発生体の温度特性や個体差によらないように前記複数の磁界変化検出素子の駆動を制御する駆動制御回路とを有し、前記スタンバイ部は、前記位置信号生成回路と前記駆動制御回路とを異なるタイミングで起動させることを特徴とする。
【００１１】
また、本発明の撮像装置において、前記スタンバイ部は、前記位置検出部に印加する起動制御信号の大きさを徐々に変化させることを特徴とする。
【００１２】
また、本発明の撮像装置において、前記駆動制御回路は、前記レリーズスイッチの２段目が設定されたときのみ、前記複数の磁界変化検出素子の機能を起動することを特徴とする。
【００１３】
また、本発明の撮像装置において、前記ブレ検出部と前記位置検出部は、異なるサブストレート上に形成されていることを特徴とする。
【発明の効果】
【００１４】
本発明によれば、レリーズスイッチの１段目が設定されるまでは複数の磁界変化検出素子及び位置検出部のうち少なくとも一方の機能を停止させるので、消費電力を低減することができるという効果が得られる。
【発明を実施するための最良の形態】
【００１５】
以下、図面を参照し、本発明の実施形態を説明する。
【００１６】
（第１の実施形態）
まず、本発明の第１の実施形態を説明する。図１は、本実施形態による撮像装置の構成を示している。図１に示す撮像装置は、撮像素子１、磁界発生体２、位置検出回路９、ブレ検出部１１、ＣＰＵ１２、駆動部１３、及びレリーズスイッチ１４を備えている。図１では、被写体像を結像する光学系や、撮像素子１から出力される撮像信号を処理する信号処理回路、撮像により生成された画像データを記録する記録媒体等の図示を省略している。
【００１７】
撮像素子１は、図示せぬ光学系によって結像された被写体像を光電変換し、図示せぬ信号処理回路へ撮像信号を出力する。磁界発生体２は例えば永久磁石や電磁石であり、撮像素子１と同一の部材に取り付けられている。位置検出回路９は磁界発生体２の磁界の強さを検出し、磁界発生体２の位置を示す信号をＣＰＵ１２へ出力する。ブレ検出部１１は、例えば角速度センサ及び増幅回路から構成され、撮像装置を中心として、上下方向の傾き（ピッチング）及び左右方向の傾き（ヨーイング）を検出し、ＣＰＵ１２へ出力する。ＣＰＵ１２はブレ検出部１１及び位置検出回路９からの出力信号を各種演算し、位置検出回路９及び駆動部１３を制御する。駆動部１３は、光学系の光軸に対して直交する方向に撮像素子１及び磁界発生体２を一体で移動させる。
【００１８】
レリーズスイッチ１４は撮像に係る指示を入力するための２段階の状態を設定可能なスイッチである。レリーズスイッチ１４が半押しされ、１段目の状態が設定された場合、図示せぬフォーカス調節機構が起動され、フォーカスの調節が実行される。１段目の状態からさらにレリーズスイッチ１４が押し込まれ、２段目の状態が設定された場合、撮像によって生成された画像データが図示せぬ記録媒体に格納され、保存される。
【００１９】
位置検出回路９において、磁界変化検出素子３，４は例えばホール素子であり、互いに離間して設けられている。磁界変化検出素子３，４は、磁界発生体２が形成する磁界の強さ（磁束密度）を検出し、検出した磁界の強さに応じた信号を位置検出部５の位置信号生成回路６及び駆動制御回路７へ出力する。位置信号生成回路６は、磁界変化検出素子３，４の出力信号の差を算出し、磁界変化検出素子３，４に対する磁界発生体２の相対位置を示す位置信号としてＣＰＵ１２へ出力する。ここで、図１においては、後の説明を簡単にするため、磁界変化検出素子を２つ（１組）のみ図示している。この場合、撮像素子１の１方向の移動を検出することが可能である。実際のブレ補正機構においては、ブレ補正のために、撮像素子１を図示しない光学系の光軸に対して直交する平面上で移動させる必要があるため、位置検出回路９をブレ補正機構に用いる際には磁界変化検出素子を最低４つ（２組）設けておく必要がある。
【００２０】
駆動制御回路７は、磁界発生体２の温度特性や個体差を抑えるように磁界変化検出素子３，４の駆動を制御する。具体的には、駆動制御回路７は、磁界変化検出素子３，４の出力信号の和が一定となるように、磁界変化検出素子３，４に供給する制御信号を制御する。スタンバイ部８は位置信号生成回路６及び駆動制御回路７の起動及び停止を行う。
【００２１】
ブレ補正は以下のようにして行われる。レリーズスイッチ１４の２段目が設定されると、ブレ検出部１１は、検出したブレ量に応じた角速度信号をＣＰＵ１２へ出力する。ＣＰＵ１２は、ブレ検出部１１から出力された角速度信号と光学系の焦点距離情報から、光学系の光軸に対して直交する平面内で撮像素子１が移動すべき移動量を算出し、駆動部１３を駆動させる。駆動部１３は、ＣＰＵ１２によって算出された移動量に対応した駆動力を発生し、光学系の光軸に対して直交する方向に撮像素子１及び磁界発生体２を一体で移動させる。位置検出回路９は、移動した磁界発生体２の磁界の強さを検出し、磁界変化検出素子３，４に対する磁界発生体２の相対位置を示す位置信号をＣＰＵ１２へ出力する。ＣＰＵ１２は、位置検出回路９から出力された位置信号に基づいた撮像素子１の現在位置と、ブレ検出部１１によって検出されたブレ量に基づいた撮像素子１の目標位置とを比較し、目標位置に撮像素子１が移動するまで駆動部１３をフィードバック制御する。これにより、撮像素子１を光学系の光軸に対して直交する最適な位置にシフトすることが可能なため、撮像装置の撮影中に生じた手ブレを打ち消すことができる。
【００２２】
次に、位置検出に係る機能の起動時及び停止時の動作を説明する。まず、第１の動作例を説明する。図２は、位置検出部５及び磁界変化検出素子３，４に供給される制御信号の波形を示している。撮像装置の起動後の初期状態では、位置検出部５及び磁界変化検出素子３，４に供給される制御信号２００，２１０はＬ（Ｌｏｗ）であり、位置検出部５及び磁界変化検出素子３，４はその機能を停止している。レリーズスイッチ１４が半押しされ、１段目の状態が設定された場合、ＣＰＵ１２は、１段目の状態が設定されたことを通知する信号をスタンバイ部８へ出力する。
【００２３】
ＣＰＵ１２からの信号に基づいて、スタンバイ部８は制御信号２００をＨ（Ｈｉｇｈ）とし、位置検出部５の位置信号生成回路６及び駆動制御回路７の機能を起動させる。また、駆動制御回路７は、磁界変化検出素子３，４に供給する制御信号２１０を起動と同時にＨとし、磁界変化検出素子３，４の機能を起動させる。
【００２４】
レリーズスイッチ１４がさらに押し込まれ、２段目の状態が設定された後、撮影（露光）が終了したら、ＣＰＵ１２は、撮影が終了したことを通知する信号をスタンバイ部８へ出力する。ＣＰＵ１２からの信号に基づいて、スタンバイ部８は制御信号２００をＬとし、位置検出部５の位置信号生成回路６及び駆動制御回路７の機能を停止させる。これと同時に、駆動制御回路７は、制御信号２１０をＬとし、磁界変化検出素子３，４の機能を停止させる。
【００２５】
上述したように、レリーズスイッチ１４の１段目が設定されるまでは、位置検出部５及び磁界変化検出素子３，４の機能が停止しているので、消費電力を低減することができる。
【００２６】
次に、第２の動作例を説明する。図３は、位置検出部５及び磁界変化検出素子３，４に供給される制御信号の波形を示している。撮像装置の起動後の初期状態では、位置検出部５及び磁界変化検出素子３，４に供給される制御信号３００，３１０はＬであり、位置検出部５及び磁界変化検出素子３，４はその機能を停止している。また、レリーズスイッチ１４が半押しされ、１段目の状態が設定された状態でも、制御信号３００，３１０はＬであり、位置検出部５及び磁界変化検出素子３，４はその機能を停止している。
【００２７】
レリーズスイッチ１４がさらに押し込まれ、２段目の状態が設定された場合、ＣＰＵ１２は、２段目の状態が設定されたことを通知する信号をスタンバイ部８へ出力する。ＣＰＵ１２からの信号に基づいて、スタンバイ部８は制御信号３００をＨとし、位置検出部５の位置信号生成回路６及び駆動制御回路７の機能を起動させる。また、駆動制御回路７は、磁界変化検出素子３，４に供給する制御信号３１０を起動と同時にＨとし、磁界変化検出素子３，４の機能を起動させる。
【００２８】
撮影が終了したら、ＣＰＵ１２は、撮影が終了したことを通知する信号をスタンバイ部８へ出力する。ＣＰＵ１２からの信号に基づいて、スタンバイ部８は制御信号３００をＬとし、位置検出部５の位置信号生成回路６及び駆動制御回路７の機能を停止させる。これと同時に、駆動制御回路７は、制御信号３１０をＬとし、磁界変化検出素子３，４の機能を停止させる。
【００２９】
上述したように、レリーズスイッチ１４の２段目が設定されるまでは、位置検出部５及び磁界変化検出素子３，４の機能が停止しているので、消費電力を低減することができる。また、第１の動作例と比較して、レリーズスイッチ１４の１段目が設定されてから、２段目が設定されるまでの間の消費電力をより低減することができる。
【００３０】
（第２の実施形態）
次に、本発明の第２の実施形態を説明する。本実施形態による撮像装置の構成は図１と同様であるので説明を省略する。ここで、レリーズスイッチ１４の２段目が設定された直後、すなわち露光直前に位置検出部５の機能を起動／停止させると、ブレ検出部１１の出力が変動することがある。そこで、本実施形態による撮像装置は、消費電力を低減すると共に、ブレ検出部１１の出力変動を抑えるように動作する。
【００３１】
まず、ブレ検出部１１の出力が変動する原理を説明する。図４は撮像装置の部分断面を示している。図４に示すように、位置検出部５、スタンバイ部８、及びブレ検出部１１は同一の集積回路（ＩＣ）上に搭載され、同一のサブストレート２１（基板）上に構成される。図５は、位置検出部５及びブレ検出部１１を構成するトランジスタの詳細な部分断面を示している。図５において、ベース端子２２Ｂ、エミッタ端子２２Ｅ、及びコレクタ端子２２Ｃを備えたトランジスタ２２は、位置検出部５を構成する一部のトランジスタである。また、ベース端子２３Ｂ、エミッタ端子２３Ｅ、及びコレクタ端子２３Ｃを備えたトランジスタ２３は、ブレ検出部１１を構成する一部のトランジスタである。
【００３２】
トランジスタ２２が起動すると、トランジスタ２２は遮断状態から飽和状態を経て活性状態に達する。そして、バイポーラトランジスタの構造上生成される寄生トランジスタ２４がトランジスタ２２の飽和状態時にサブストレート２１へ電流（飽和電流）を流してしまう。この飽和電流とサブストレート２１の抵抗成分２５との積により発生するサブストレート２１の電位変動が、トランジスタ２３の寄生容量２６を介してトランジスタ２３の動作に影響を与え、ブレ検出部１１の出力が変動する。また、上記の飽和電流が大きく、急激に変化するほど、ブレ検出部１１の出力が変動しやすい。
【００３３】
次に、本実施形態の第１の動作例を説明する。図６は、位置検出部５の位置信号生成回路６、駆動制御回路７、及び磁界変化検出素子３，４に供給される制御信号の波形を示している。撮像装置の起動後の初期状態では、位置信号生成回路６、駆動制御回路７、及び磁界変化検出素子３，４に供給される制御信号６００，６１０，６２０はＬであり、位置信号生成回路６、駆動制御回路７、及び磁界変化検出素子３，４はその機能を停止している。また、レリーズスイッチ１４が半押しされ、１段目の状態が設定された状態でも、制御信号６００，６１０，６２０はＬであり、位置信号生成回路６、駆動制御回路７、及び磁界変化検出素子３，４はその機能を停止している。
【００３４】
レリーズスイッチ１４がさらに押し込まれ、２段目の状態が設定された場合、ＣＰＵ１２は、２段目の状態が設定されたことを通知する信号をスタンバイ部８へ出力する。ＣＰＵ１２からの信号に基づいて、スタンバイ部８は制御信号６００をＨとし、位置信号生成回路６の機能を起動させる。また、位置信号生成回路６の起動より少し遅れて、スタンバイ部８は制御信号６１０をＨとし、駆動制御回路７の機能を起動させる。その後、駆動制御回路７は制御信号６２０をＨとし、磁界変化検出素子３，４の機能を起動させる。
【００３５】
撮影が終了したら、ＣＰＵ１２は、撮影が終了したことを通知する信号をスタンバイ部８へ出力する。ＣＰＵ１２からの信号に基づいて、スタンバイ部８は制御信号６００をＬとし、位置信号生成回路６の機能を停止させる。続いて、スタンバイ部８は制御信号６１０をＬとし、駆動制御回路７の機能を停止させる。さらに、駆動制御回路７は制御信号６２０をＬとし、磁界変化検出素子３，４の機能を停止させる。
【００３６】
上述したように、レリーズスイッチ１４の２段目の状態が設定されたときにおける位置信号生成回路６と駆動制御回路７及び磁界変化検出素子３，４の機能を起動するタイミングを分散させることにより、サブストレート２１に流れる飽和電流の瞬時値を低減させ、サブストレート２１の電位変動を小さくすることが可能となる。したがって、レリーズスイッチ１４の２段目が設定された直後におけるブレ検出部１１の出力変動を低減し、ブレ検出部１１の誤検出を低減することができる。
【００３７】
なお、図６では位置信号生成回路６、駆動制御回路７、磁界変化検出素子３，４の順で起動されるが、図７のように駆動制御回路７、磁界変化検出素子３，４、位置信号生成回路６の順で起動されるようにしてもよい。また、レリーズスイッチ１４の１段目が設定されたときに、位置信号生成回路６、駆動制御回路７、及び磁界変化検出素子３，４の機能が、異なるタイミングで起動されるようにしてもよい。
【００３８】
次に、第２の動作例を説明する。図８は、位置信号生成回路６、駆動制御回路７、及び磁界変化検出素子３，４に供給される制御信号の波形を示している。撮像装置の起動後の初期状態では、位置信号生成回路６、駆動制御回路７、及び磁界変化検出素子３，４に供給される制御信号８００，８１０，８２０はＬであり、位置信号生成回路６、駆動制御回路７、及び磁界変化検出素子３，４はその機能を停止している。また、レリーズスイッチ１４が半押しされ、１段目の状態が設定された状態でも、制御信号８００，８１０，８２０はＬであり、位置信号生成回路６、駆動制御回路７、及び磁界変化検出素子３，４はその機能を停止している。
【００３９】
レリーズスイッチ１４がさらに押し込まれ、２段目の状態が設定された場合、ＣＰＵ１２は、２段目の状態が設定されたことを通知する信号をスタンバイ部８へ出力する。ＣＰＵ１２からの信号に基づいて、スタンバイ部８は制御信号８００，８１０をＨとし、位置信号生成回路６及び駆動制御回路７の機能を起動させる。ただし、図８に示すように、位置信号生成回路６及び駆動制御回路７に印加される制御信号の大きさが徐々に大きくなっていくように、スタンバイ部８は制御信号８００，８１０を制御する。これにより、位置信号生成回路６及び駆動制御回路７の機能はゆっくりと起動することになる。その後、駆動制御回路７は、磁界変化検出素子３，４に印加される制御信号８２０の大きさが徐々に大きくなっていくように制御信号８２０をＨとし、磁界変化検出素子３，４の機能を起動させる。
【００４０】
撮影が終了したら、ＣＰＵ１２は、撮影が終了したことを通知する信号をスタンバイ部８へ出力する。ＣＰＵ１２からの信号に基づいて、スタンバイ部８は制御信号８００，８１０をＬとし、位置信号生成回路６及び駆動制御回路７の機能を停止させる。さらに、駆動制御回路７は制御信号８２０をＬとし、磁界変化検出素子３，４の機能を停止させる。
【００４１】
上述したように、レリーズスイッチ１４の２段目が設定されたときにおける位置信号生成回路６、駆動制御回路７、及び磁界変化検出素子３，４の機能を起動する時間を長くすることにより、サブストレート２１に流れる飽和電流の瞬時値を低減させ、サブストレート２１の電位変動を小さくすることが可能となる。したがって、レリーズスイッチ１４の２段目が設定された直後におけるブレ検出部１１の出力変動を低減し、ブレ検出部１１の誤検出を低減することができる。なお、レリーズスイッチ１４の１段目が設定されたときに、位置信号生成回路６、駆動制御回路７、及び磁界変化検出素子３，４の機能が、上記と同様にゆっくりと起動されるようにしてもよい。
【００４２】
次に、第３の動作例を説明する。図９は、位置信号生成回路６、駆動制御回路７、及び磁界変化検出素子３，４に供給される制御信号の波形を示している。撮像装置の起動後の初期状態では、位置信号生成回路６、駆動制御回路７、及び磁界変化検出素子３，４に供給される制御信号９００，９１０，９２０はＬであり、位置信号生成回路６、駆動制御回路７、及び磁界変化検出素子３，４はその機能を停止している。レリーズスイッチ１４が半押しされ、１段目の状態が設定された場合、ＣＰＵ１２は、１段目の状態が設定されたことを通知する信号をスタンバイ部８へ出力する。
【００４３】
ＣＰＵ１２からの信号に基づいて、スタンバイ部８は制御信号９００，９１０をＨとし、位置信号生成回路６及び駆動制御回路７の機能を起動させる。レリーズスイッチ１４がさらに押し込まれ、２段目の状態が設定された場合、ＣＰＵ１２は、２段目の状態が設定されたことを通知する信号を駆動制御回路７へ出力する。ＣＰＵ１２からの信号に基づいて、駆動制御回路７は制御信号９２０をＨとし、磁界変化検出素子３，４の機能を起動させる。
【００４４】
撮影が終了したら、ＣＰＵ１２は、撮影が終了したことを通知する信号をスタンバイ部８へ出力する。ＣＰＵ１２からの信号に基づいて、スタンバイ部８は制御信号９００，９１０をＬとし、位置信号生成回路６及び駆動制御回路７の機能を停止させる。これと同時に、駆動制御回路７は、制御信号９２０をＬとし、磁界変化検出素子３，４の機能を停止させる。
【００４５】
上述したように、位置信号生成回路６及び駆動制御回路７の機能を起動するタイミングと磁界変化検出素子３，４の機能を起動するタイミングとを分散させ、レリーズスイッチ１４の２段目の状態が設定されたときのみ磁界変化検出素子３，４の機能を起動することにより、サブストレート２１に流れる飽和電流の瞬時値を低減させ、サブストレート２１の電位変動を小さくすることが可能となる。したがって、レリーズスイッチ１４の２段目が設定された直後におけるブレ検出部１１の出力変動を低減し、ブレ検出部１１の誤検出を低減することができる。
【００４６】
なお、図１０に示すように、レリーズスイッチ１４の１段目の状態が設定される前も位置信号生成回路６及び駆動制御回路７の機能を起動しておき、レリーズスイッチ１４の２段目の状態が設定されたときに磁界変化検出素子３，４の機能を起動させるようにしてもよい。このように動作させる方が、ブレ検出部１１が誤検出しにくく、特にレリーズスイッチ１４の１段目の状態が設定された後、２段目の状態がすぐに設定されるような撮影時に有効である。
【００４７】
次に、本実施形態の変形例を説明する。図１１は撮像装置の部分断面を示している。図１１に示すように、位置検出部５及びスタンバイ部８はサブストレート２１ａ上に構成され、ブレ検出部１１は、サブストレート２１ａとは異なるサブストレート２１ｂ上に構成される。このように、位置検出部５とブレ検出部１１のサブストレートを分離することにより、ブレ検出部１１が位置検出部５のサブストレート２１ａの電位変動の影響を受けなくなる。したがって、レリーズスイッチ１４の２段目が設定された直後におけるブレ検出部１１の出力変動がなくなり、ブレ検出部１１の誤検出をなくすことができる。
【００４８】
（第３の実施形態）
次に、本発明の第３の実施形態を説明する。図１２は、本実施形態による撮像装置の構成を示している。本実施形態では、磁界発生体２は光学系１５に取り付けられており、光学系の光軸に対して直交する方向に光学系１５及び磁界発生体２が一体で移動する。図１２では、図１に示した撮像素子１の図示を省略している。また、撮像装置の動作は第１の実施形態又は第２の実施形態と同様である。本実施形態の効果についても第１の実施形態又は第２の実施形態と同様である。
【００４９】
以上、図面を参照して本発明の実施形態について詳述してきたが、具体的な構成は上記の実施形態に限られるものではなく、本発明の要旨を逸脱しない範囲の設計変更等も含まれる。
【図面の簡単な説明】
【００５０】
【図１】本発明の第１の実施形態による撮像装置の構成を示すブロック図である。
【図２】本発明の第１の実施形態による撮像装置の動作を説明するためのタイミング図である。
【図３】本発明の第１の実施形態による撮像装置の動作を説明するためのタイミング図である。
【図４】本発明の第２の実施形態による撮像装置の部分断面図である。
【図５】本発明の第２の実施形態による撮像装置の部分断面図である。
【図６】本発明の第２の実施形態による撮像装置の動作を説明するためのタイミング図である。
【図７】本発明の第２の実施形態による撮像装置の動作を説明するためのタイミング図である。
【図８】本発明の第２の実施形態による撮像装置の動作を説明するためのタイミング図である。
【図９】本発明の第２の実施形態による撮像装置の動作を説明するためのタイミング図である。
【図１０】本発明の第２の実施形態による撮像装置の動作を説明するためのタイミング図である。
【図１１】本発明の第２の実施形態による撮像装置（変形例）の部分断面図である。
【図１２】本発明の第３の実施形態による撮像装置の構成を示すブロック図である。
【符号の説明】
【００５１】
１・・・撮像素子、２・・・磁界発生体、３，４・・・磁界変化検出素子、５・・・位置検出部、６・・・位置信号生成回路、７・・・駆動制御回路、８・・・スタンバイ部、９・・・位置検出回路、１１・・・ブレ検出部、１２・・・ＣＰＵ、１３・・・駆動部、１４・・・レリーズスイッチ、１５・・・光学系、２１，２１ａ，２１ｂ・・・サブストレート
【図１】
2008268481.tif 000003
【図２】
2008268481.tif 000004
【図３】
2008268481.tif 000005
【図４】
2008268481.tif 000006
【図５】
2008268481.tif 000007
【図６】
2008268481.tif 000008
【図７】
2008268481.tif 000009
【図８】
2008268481.tif 000010
【図９】
2008268481.tif 000011
【図１０】
2008268481.tif 000012
【図１１】
2008268481.tif 000013
【図１２】
2008268481.tif 000014